(57)【要約】【課題】容易且つ安価に設置でき、必要時に必要な場所で、比較的体力を有しないものが一人で簡単に扱うことができ、日常の生活における散水から火災時の消火のための放水に至るまで幅広い用途に効果的に対応でき得る簡易散水設備を提供することを目的としている。【解決手段】散水するための水を蓄える貯水槽３と、貯水槽３内に配置され、貯水槽３内の水を加圧する水中ポンプ５と、水中ポンプ５で加圧された水を送るホース７と、人の手で保持され、ホース７により送られた水を放出するノズル１と、ノズル１を保持している人が操作できるスイッチ９と、スイッチ９からの信号に基づき水中ポンプ５を遠隔で起動及び停止する制御盤１１と、を具えてなる簡易散水設備である。【選択図】図１
2008104977.tif 000002
【特許請求の範囲】
【請求項１】
散水するための水を蓄える貯水槽と、
前記貯水槽内に配置され、前記貯水槽内の水を加圧する水中ポンプと、
前記水中ポンプで加圧された水を送るホースと、
人の手で保持され、前記ホースにより送られた水を放出するノズルと、
前記ノズルを保持している人が操作できるスイッチと、
前記スイッチからの信号に基づき前記水中ポンプを遠隔で起動及び停止する制御盤と、
を具えてなる、簡易散水設備。
【請求項２】
前記スイッチは、前記ノズルに隣接して設けられたことを特徴とする、請求項１記載の簡易散水設備。
【請求項３】
前記スイッチと前記制御盤とは、互いに電気ケーブルで電気的に接続されたことを特徴とする、請求項１又は２記載の簡易散水設備。
【請求項４】
前記スイッチと前記制御盤とは、信号中継器を介して互いに電気ケーブルで電気的に接続され、
前記スイッチと前記信号中継器とを電気的に接続する電気ケーブルは、前記ホース内の水の流路と同一の空間に導かれて、前記ホース内の一端から他端に亘って延在することを特徴とする、請求項３記載の簡易散水設備。
【請求項５】
前記スイッチと前記制御盤とは、信号中継器を介して互いに電気ケーブルで電気的に接続され、
前記スイッチと前記信号中継機とを電気的に接続する電気ケーブルは、前記ホースの外側の一端から他端に亘って延在することを特徴とする、請求項３記載の簡易散水設備。
【請求項６】
前記スイッチと前記信号中継機とは、前記ホースの両端に接続される連結部材にそれぞれ設置されたことを特徴とする、請求項４又は５記載の簡易散水設備。
【請求項７】
前記スイッチは、前記制御盤に無線で前記信号を送信し、
前記制御盤は、その信号を受信することを特徴とする、請求項１又は２記載の簡易散水設備。
【請求項８】
前記貯水槽は、１キロリットルから３キロリットルまでの何れかの量の水を収容することを特徴とする、請求項１から７までの何れか記載の簡易散水設備。
【発明の詳細な説明】
【技術分野】
【０００１】
本発明は、一人でノズルを持ちながら容易に放水の開始および停止を操作し得る簡易散水設備に関するものである。
【０００２】
近年の社会の高齢化により、高齢者が一人で暮らす住宅及び、高齢者が少人数単位で共同生活を送る施設であるグループホームが増加し、それに伴い火災事故が増加している。一方でこのような住宅や施設の多くは、一般住宅であるため又は事業規模が小さいために消防法で消火設備の設置が義務づけられていないことや、消火設備の設置およびメンテナンスに多額の費用を要することを理由に、消火栓設備やスプリンクラー設備等の消火能力が高い消火設備を設置していないことが多い。
【０００３】
すなわち、上記のような住宅や小規模な施設では、安価に設置できる消火器具又は設備として、消火器や水バケツ・水槽等の簡易消火用具が用いられている。（非特許文献１参照）。
【非特許文献１】消防法施行令第七条２項１号
【発明の開示】
【発明が解決しようとする課題】
【０００４】
しかしながら、上述の簡易消火用具は消火能力が低く、しかも比較的体力を有しない高齢者がそれら簡易消火用具を扱うには肉体的な負担が大きいため、火災に効果的に対応できるものではなかった。
【０００５】
そこで、日常の生活における散水（例えば植木や芝への散水）から火災時の消火のための放水に至るまで幅広い用途に効果的に対応できる散水設備へのニーズが高まっている。
【０００６】
それゆえ本発明は、容易且つ安価に設置でき、必要時に必要な場所で、比較的体力を有しないものが一人で簡単に扱うことができ、日常の生活における散水から火災時の消火のための放水に至るまで幅広い用途に効果的に対応できる簡易散水設備を提供することを目的としている。
【課題を解決するための手段】
【０００７】
本発明は、上記課題を解決するためになされたものであり、本発明の簡易散水設備は、散水するための水を蓄える貯水槽と、前記貯水槽内に配置され、前記貯水槽内の水を加圧する水中ポンプと、前記水中ポンプで加圧された水を送るホースと、人の手で保持され、前記ホースにより送られた水を放出するノズルと、前記ノズルを保持している人が操作できるスイッチと、前記スイッチからの信号に基づき前記水中ポンプを遠隔で起動及び停止する制御盤と、を具えることを特徴とするものである。
【発明の効果】
【０００８】
かかる簡易散水設備にあっては、散水を行う人がノズル及びホースを散水を行う場所まで引き出し、ノズルの先端を散水する目標物に向けるようにしてノズルを構え、その状態で、散水を行う人自身が水中ポンプを作動させるスイッチを操作することにより、貯水槽内に配置された水中ポンプが起動して、貯水槽内に蓄えられた水を加圧し、これによりホースを介してノズルへ水が送水される。また、反対に散水を止める場合は、散水を行う人自身が水中ポンプを停止させるスイッチを操作することにより、水中ポンプが停止して、ノズルへの送水が止まる。
【０００９】
従って、本発明の簡易散水設備によれば、散水を行う人が所望の場所までノズル及びホースを引き出し、ノズルの先端を目標物に向けるようにしてノズルを構え、スイッチを操作するだけで放水を開始及び停止をすることができるので、必要時に必要な場所で散水でき、比較的体力を有しない人でも一人で簡単に散水することができる。
【００１０】
さらに、散水場所を移動する場合にはスイッチを操作し、その場で放水を一時中断することができることから、本発明の簡易散水設備を例えば火災時の消火に使用する場合であって火災現場が複数ある場合に、その場で放水を一時中断して次の火災現場に移動できるので、一人でも十分な消火活動を行うことができる。
【００１１】
さらに、上述のように一人で簡単に散水を行い得るので、例えば植木や芝への散水等の日常生活上の用途で頻繁に使用することができ、日頃からそのように使用することで、特別な操作訓練をしなくても火災時に迅速且つ効果的に散水設備を操作することが可能となり、しかも日常の生活で使用することで、特別に作動テストを実施する必要性をなくすことができる。
【００１２】
また、散水する水の加圧に貯水槽の内部に設置した水中ポンプを用いるので、ポンプ専用のスペースを貯水槽とは別に確保する必要がなく、簡易散水設備の設置に必要なスペースを減少させることができ、またポンプを設置するための基礎および専用のポンプ室を必要としないので安価に設置することができ、しかも貯水槽と水中ポンプとを一体に移動可能であるので容易に移動及び設置することができる。
【００１３】
なお、本発明の簡易散水設備においては、前記スイッチを前記ノズルに隣接して設けても良く、このようにすれば、散水を行う人自身が、散水を行いながらでも容易に前記スイッチを操作することができる。
【００１４】
また、本発明の簡易散水設備においては、前記スイッチと前記制御盤とは、互いに電気ケーブルで電気的に接続されても良く、このようにすれば、散水を行う人がスイッチを操作することによりスイッチが発信した、水中ポンプを制御するための信号を、安定して確実に制御盤に伝達することができる。
【００１５】
さらに、本発明の簡易散水設備においては、前記スイッチと前記制御盤とは、信号中継器を介して互いに電気ケーブルで電気的に接続され、前記スイッチと前記信号中継機とを電気的に接続する電気ケーブルは、前記ホース内の水の流路と同一の空間に導かれて、前記ホース内の一端から他端に亘って延在するようにしても良く、このようにすれば、ホースに沿った電気ケーブルの周囲に水を確保でき、火災現場においてホースが直に加熱されるような場合でもホース周囲の熱が電気ケーブルに伝わることがないため断線等の恐れが無く、スイッチが発信した信号を安定して信号中継機に伝達することができる。
【００１６】
一方、本発明の簡易散水設備においては、前記スイッチと前記制御盤とは、信号中継器を介して互いに電気ケーブルで電気的に接続され、前記スイッチと前記信号中継機とを電気的に接続する電気ケーブルは、前記ホースの外側の一端から他端に亘って延在するようにしても良く、このようにすれば、ホースに沿った電気ケーブルの老朽具合又は損傷具合を一目で判断することができるので、保守管理が容易となって、メンテナンス費用を低減することができる。
【００１７】
さらに、本発明の簡易散水設備においては、前記スイッチと前記信号中継機とは、前記ホースの両端に接続される連結部材にそれぞれ設置されても良く、このようにすれば、スイッチおよび信号中継機を、それぞれ連結部材とともに着脱することができるので、スイッチおよび信号中継機のメンテナンスまたは交換を容易に行うことができる。
【００１８】
あるいは、本発明の簡易散水設備においては、前記スイッチは、前記制御盤に無線で前記信号を送信し、前記制御盤は、その信号を受信するようにしても良く、このようにすれば、スイッチからの、水中ポンプを制御する信号を無線で制御盤に送信できるので、電気ケーブルの断線等によって水中ポンプを遠隔制御できなくなる可能性を低下させて、過酷な周囲環境下でも安定した使用を可能にすることができる。また、ホースが老朽又は損傷した場合にはホースのみを交換すれば良いので、ホースを安価に且つ誰にでも容易に交換することができる。
【００１９】
さらに、本発明の簡易散水設備においては、前記貯水槽は、１キロリットルから３キロリットルまでの何れかの量の水を収容するようにしても良く、このようにすれば、火災時の消火活動に使用する場合においても、初期消火に十分対応できる水量を確保することができる。
【発明を実施するための最良の形態】
【００２０】
以下、本発明の実施の形態を実施例によって、図面に基づき詳細に説明する。ここに、図１は、本発明の一実施例の簡易散水設備の全体構成を模式的に示す構成図である。
【００２１】
図１に示すように、この実施例の簡易散水設備は、散水を行う人の手によって保持されて水を放出するノズル１と、そのノズル１から散水するための水を蓄える貯水槽３と、貯水槽３に蓄えられた水を加圧する水中ポンプ５と、その水中ポンプ５により加圧された水をノズル１に送水するホース７と、ノズル１を保持している人が操作できるスイッチ９と、そのスイッチ９からの信号を受信してその信号に基づき水中ポンプ５を起動及び停止する制御盤１１と、上記スイッチ９からの信号を中継してその制御盤１１に伝達する信号中継機１３とを具えている。
【００２２】
ここで、水中ポンプ５は、貯水槽３の内部に設置され、その水中ポンプ５の吐出口には、吐出配管１５が接続されている。この水中ポンプ５は、比較的体力を有しない者でもノズル１の散水反力に耐えてノズル１を保持し得るように、比較的小型のもの（例えば１３０〜１５０リットル毎分の吐出能力を有するもの）が好ましく、この実施例では１５０リットル毎分の吐出能力を有する水中ポンプが用いられている。
【００２３】
また、ノズル１と吐出配管１５とは、それぞれ連結部材としてのノズル側ユニオンコネクタ１７と吐出配管側ユニオンコネクタ１９とを介して着脱可能に装着されたホース７で連結されている。このホース７には、軽量且つ水中ポンプ５からの吐出圧力に十分耐え得る強度および耐熱性を有したホースが用いられ、ホース７は、円形ホースでも平形ホースでも構わない。
【００２４】
スイッチ９はノズル側ユニオンコネクタ１７に設けられ、その一方、信号中継機１３は吐出配管側ユニオンコネクタ１９に設けられ、制御盤１１は信号中継機１３と水中ポンプ５との間に接続されている。さらに、スイッチ９と制御盤１１とは信号中継機１３を介して電気ケーブル２１で電気的に接続され、制御盤１１には外部の商用電源からの電源ケーブル２３が接続され、制御盤１１と水中ポンプ５とは動力ケーブル２５で接続されている。これら電気ケーブル２１、電源ケーブル２３および動力ケーブル２５は、絶縁性、耐熱性および耐火性に優れた材質で被覆されたケーブルが好ましい。また貯水槽３の上部には、外部から水を供給できるように給水配管２７が接続され、その給水配管２７に設けられたフロート弁２９で貯水槽３は水位管理されている。
【００２５】
図２は、上記実施例の簡易散水設備におけるノズル１とノズル側ユニオンコネクタ１７とスイッチ９と信号中継機１３と吐出配管１５と吐出配管側ユニオンコネクタ１９とをそれぞれ示す斜視図、また図３は、上記実施例の簡易散水設備における水中ポンプ５と制御盤１１と中継信号機１３と吐出配管１５とをそれぞれ示す斜視図である。
【００２６】
図２に示すように、ノズル１は、水を放出する散水口３１と、散水する人が持つことができる保持部分３３と、散水の種類を直進（集束）、噴霧（拡散）又は停止に切り替えることができるコック３５とを有し、ノズル１の手前側（図２では右側）には、ノズル側ユニオンコネクタ１７を介してホース７が接続されている。
【００２７】
さらに、散水側ユニオンコネクタの外面上部（図２では上側）には直方体状のスイッチ９が固設され、このスイッチ９は、人が押すことにより水中ポンプ５を遠隔で起動および停止させるための起動ボタン３７と停止ボタン３９とを有している。このスイッチ９の下面（ノズル側ユニオンコネクタ１７と接している面）から出た電気ケーブル２１（図２中点線で示す）は、散水側ユニオンコネクタ１７をその外面から内面に向かって水密に貫通し、ホース７内の水の流路と同一の空間に導かれて、ホース７内の一端から他端に亘って延在している。
【００２８】
また、図２に示すように、吐出配管１５には、吐出配管側ユニオンコネクタ１９を介して上記ホース７が接続されており、その吐出配管側ユニオンコネクタ１９には外周に亘って信号中継機１３を保持するための略円筒状の留め具４１が固設され、その留め具４１を介して直方体状の信号中継機１３が固設されている。そして、一端部をスイッチ９に接続されてホース７内の全長に亘って延在してきた電気ケーブル２１は、吐出配管側ユニオンコネクタ１９および留め具４１を水密に貫通して、信号中継機１３に接続されており、信号中継機１３の内部には、電気ケーブル２１を信号中継機１３に一旦固定してから制御盤１１に向かわせる、図示しないターミナルが設けられている。
【００２９】
さらに、図３に示すように、信号中継機１３の一側面からは電気ケーブル２１が突出し、その電気ケーブル２１はスタンド４３に固設された制御盤１１に接続されている。なお、制御盤１１には、制御盤１１を人が直接操作することで水中ポンプ５を制御することができる操作ボタン４４が設けられている。
【００３０】
図４は、上記実施例の簡易散水設備における貯水槽３を示す斜視図である。
【００３１】
貯水槽３の内部には、ここでは図示しない水中ポンプ５が設置され、貯水槽３の上面にはその水中ポンプ５を搬入出するための開口部４５が設けられ、その開口部４５には安全および雨水の浸入防止のため蓋４７が設けられ、その蓋４７の中心部分には水中ポンプ５の吐出口に接続されたここでは図示しない吐出配管１５が貫通している。また、貯水槽３の上面には貯水するための水を供給する給水配管２７を挿入するための穴４９が設けられている。
【００３２】
また、上記実施例では、貯水槽３は３キロリットルの量の水を収容できる大きさのものであり、この貯水槽３は、例えばＦＲＰ（繊維強化プラスチック）で形成された丸みを帯びたタンクや、増設可能型パネルタンク、もしくはそれらと同等の強度を有する材質で形成されたタンクとすることが好ましい。
【００３３】
かかる実施例の簡易散水設備にあっては、散水を行う人が、ノズル１及びホース７を所望の場所まで引き出し、ノズル１の保持部３３を保持し、散水口３１を散水する目標物に向けるようにしてノズル１を構えた状態で、散水を行う人自身でノズル１に隣接したスイッチ９に設けられた起動ボタン３７を押すことにより、貯水槽３に蓄えられた水を加圧する水中ポンプ５が起動し、ノズル１へ水が送水される。反対に、ノズルへの送水を停止する場合は、散水を行う人自身でスイッチ９に設けられた停止ボタン３９を押すことにより、水中ポンプ５が停止し、ノズル１への送水が止まる。
【００３４】
従って、本実施例の簡易散水設備によれば、散水を行う人が所望の場所までノズル１及びホース７を引き出し、先端の散水口３１を散水する目標物に向けるようにしてノズル１を構え、散水を行う人自身がスイッチ９に設けられたボタン３７，３９を操作するだけで放水を開始及び停止することができるので、必要時に必要な場所で散水でき、比較的体力を有しない人でも一人で簡単に散水することができる。
【００３５】
さらに、散水場所を変更する場合には起動及び停止ボタン３７，３９を操作し、その場で放水を一時中断することができることから、本実施例の簡易散水設備を例えば火災時の消火に使用する場合であって火災現場が複数ある場合に、その場で放水を一時中断して次の火災現場に移動できるので、一人でも十分な消火活動を行うことができる。
【００３６】
さらに、上述したように一人で簡単に散水を行い得るので、例えば植木や芝への散水等の日常生活上の用途で頻繁に使用することができ、日頃からそのように使用することで、特別な操作訓練をしなくても火災時に迅速且つ効果的に簡易散水設備を操作することが可能となるとともに、日常の生活で使用することで特別に作動テストを実施する必要性をなくすことができる。
【００３７】
また、散水する水の加圧に貯水槽３の内部に設置した水中ポンプ５を用いるので、ポンプ専用のスペースを貯水槽３とは別に確保する必要がないため簡易散水設備の設置に必要なスペースを減少させることができるとともに、ポンプを設置するための基礎および専用のポンプ室を必要としないため簡易散水設備を安価に設置することができ、さらに貯水槽３と水中ポンプ５とが一体に移動可能であるので、簡易散水設備を容易に移設することができる。
【００３８】
なお、本実施例の簡易散水設備によれば、スイッチ９はノズル１に隣接して設けられていているので、散水を行う人自身が、散水を行いながらでも容易にスイッチ９を操作して水中ポンプ５を遠隔制御することができる。
【００３９】
さらに、本実施例の簡易散水設備によれば、スイッチ９および信号中継機１３は、ホース７の両端に接続される連結部材としてのノズル側ユニオンコネクタ１７および吐出配管側ユニオンコネクタ１９に設置されていることから、スイッチ９および信号中継機１３はそれぞれノズル側ユニオンコネクタ１７および吐出配管側ユニオンコネクタ１９とともに取付けまたは取外しができるので、スイッチ９および信号中継機１３のメンテナンスおよび交換を容易に行うことができる。
【００４０】
また、本実施例の簡易散水設備によれば、スイッチ９と制御盤１１と信号中継機１３とが、互いに電気ケーブル２１で電気的に接続されているので、散水する人がスイッチ９を操作することにより発信された、水中ポンプ５を制御するための信号を、安定して確実に制御盤１１に伝達することができる。
【００４１】
また、本実施例の簡易散水設備によれば、スイッチ９と制御盤１１とは、信号中継器１３を介して互いに電気ケーブル２１で電気的に接続され、スイッチ９と信号中継機１３とを電気的に接続する電気ケーブル２１は、ホース７内の水の流路と同一の空間に導かれて、ホース７内の一端から他端に亘って延在しているので、ホース７に沿った電気ケーブル２１の周囲に水を確保でき、火災現場においてホース７が直に加熱されるような場合でもホース７の周囲の熱が電気ケーブル２１に伝わることがないため断線等の恐れが無く、スイッチ９が発信した信号を安定して信号中継機１３に伝達することができる。
【００４２】
また、本実施例の簡易散水設備によれば、貯水槽３は３キロリットルの量の水を収容し、且つ水中ポンプの吐出能力が１５０リットル毎分であるから、消防法で規定されている屋内消火栓設備と同等の放水能力を有することとなり、初期消火に十分対応することができる。
【００４３】
次に、本発明の他の一実施例の簡易散水設備を図示せずに説明するが、先の実施例の簡易散水設備におけると同一の機能を有する要素については、同一の符号を用いて説明する。
【００４４】
先の実施例の簡易散水設備においては、スイッチ９と信号中継機１３とを電気的に接続する電気ケーブル２１が、ノズル側ユニオンコネクタ１７と吐出配管側ユニオンコネクタ１９とを連結しているホース７の水の流路と同一の空間に導かれホース７の内側の一端から他端に亘って延在していたのに対し、この実施例では、スイッチ９と信号中継機１３とを接続する電気ケーブル２１は、ノズル側ユニオンコネクタ１７と吐出配管側ユニオンコネクタ１９とを連結しているホース７の外側の一端から他端に亘って延在し、接着剤もしくは固定具等でホース７の外面に固設されている。その他の構成及び作用は、先の実施例の簡易散水設備（図１参照）と同様である。
【００４５】
本実施例の簡易散水設備によれば、スイッチ９と信号中継機１３とを電気的に接続する電気ケーブル２１が、ノズル側ユニオンコネクタ１７と吐出配管側ユニオンコネクタ１９とを連結しているホース７の外側に配置されていることから、電気ケーブル２１の老朽具合又は損傷具合を一目で判断することができるので、保守管理が容易となって、メンテナンス費用を低減することができる。
【００４６】
次に、本発明のさらに他の一実施例の簡易散水設備を図示せずに説明するが、先の実施例の簡易散水設備におけると同一の機能を有する要素については、同一の符号を用いて説明する。
【００４７】
先の実施例の簡易散水設備においては、スイッチ９と制御盤１１とが電気ケーブル２１で電気的に接続されていたのに対し、この実施例では、スイッチ９は人が操作することにより水中ポンプ５を制御する無線の信号を制御盤１１に送信し、制御盤１１はその信号を受信する機能を有する。その他の構成及び作用は、先の実施例の簡易散水設備（図１参照）と同様である。
【００４８】
本実施例の簡易散水設備によれば、スイッチ９は、制御盤１１に無線で水中ポンプ５を制御する信号を送信し、制御盤１１はその信号を受信するので、電気ケーブル２１の断線等により水中ポンプ５が遠隔制御できなくなる可能性を低下させ得て、簡易散水設備を過酷な周囲環境下でも安定して使用することができる。またホース７が老朽または損傷した場合にはそのホース７のみを交換すれば良いので、ホース７を安価に且つ誰でも容易に交換することができる。
【００４９】
なお、本発明は上述した実施例に限定されるものでなく、特許請求の範囲の記載範囲内で適宜変更することができるものであり、上述した実施例ではノズル１を一本としたが、水中ポンプの吐出側に分配配管を設けて複数のノズルを接続するようにし、それに伴い遠隔で水中ポンプを操作するためのスイッチをそれぞれのノズルに設けて、水中ポンプの起動・停止とノズルに対応する分配配管の電磁弁の開閉とを行っても良い。さらに、上述した実施例ではホース７を一本しか用いていないが、必要とされる距離に応じて、適宜本数を増やして繋げて延長しても良い。
【産業上の利用可能性】
【００５０】
かくして本発明の簡易散水設備によれば、散水を行う人が所望の場所までノズル及びホースを引き出し、ノズルの先端を目標物に向けるようにしてノズルを構え、スイッチを操作するだけで放水を開始及び停止をすることができるので、必要時に必要な場所で散水でき、比較的体力を有しない人でも一人で簡単に散水することができる。
【００５１】
さらに、散水場所を移動する場合にはスイッチを操作し、その場で放水を一時中断することができることから、本発明の簡易散水設備を例えば火災時の消火に使用する場合であって火災現場が複数ある場合に、その場で放水を一時中断して次の火災現場に移動できるので、一人でも十分な消火活動を行うことができる。
【００５２】
さらに、上述のように一人で簡単に散水を行い得るので、例えば植木や芝への散水等の日常生活上の用途で頻繁に使用することができ、日頃からそのように使用することで、特別な操作訓練をしなくても火災時に迅速且つ効果的に簡易散水設備を操作することが可能となり、しかも日常の生活で使用することで、特別に作動テストを実施する必要性をなくすことができる。
【００５３】
また、散水する水の加圧に貯水槽の内部に設置した水中ポンプを用いるので、ポンプ専用のスペースを貯水槽とは別に確保する必要がなく、簡易散水設備の設置に必要なスペースを減少させることができ、またポンプを設置するための基礎および専用のポンプ室を必要としないので安価に設置できる。しかも貯水槽と水中ポンプとを一体に移動できることから、容易に移動及び設置することができ、そのような簡易散水設備として好適に利用できるものである。
【図面の簡単な説明】
【００５４】
【図１】本発明の一実施例の簡易散水設備の全体構成を模式的に示す構成図である。
【図２】上記実施例の簡易散水設備におけるノズルとノズル側ユニオンコネクタとスイッチと信号中継機と吐出配管と吐出配管側ユニオンコネクタとをそれぞれ示す斜視図である。
【図３】上記実施例の簡易散水設備における水中ポンプと制御盤と中継信号機と吐出配管とをそれぞれ示す斜視図である。
【図４】上記実施例の簡易散水設備における貯水槽を示す斜視図である。
【符号の説明】
【００５５】
１  ノズル
３  貯水槽
５  水中ポンプ
７  ホース
９  スイッチ
１１  制御盤
１３  信号中継機
１５  吐出配管
１７  ノズル側ユニオンコネクタ
１９  吐出配管側ユニオンコネクタ
２１  電気ケーブル
２３  電源ケーブル
２５  動力ケーブル
２７  給水配管
２９  フロート弁
３１  散水口
３３  保持部分
３５  コック
３７  起動ボタン
３９  停止ボタン
４１  留め具
４３  スタンド
４４  操作ボタン
４５  開口部
４７  蓋
４９  穴
【図１】
2008104977.tif 000003
【図２】
2008104977.tif 000004
【図３】
2008104977.tif 000005
【図４】
2008104977.tif 000006